(57)【要約】【課題】  装置の小型化、部品の延命化、そして事務所のレイアウトにおいても容易に対応できる紙葉類細断装置を提供することを課題とする。【解決手段】  円板状の複数のカッタ２Ｂ，３Ｂが軸体２Ａ，３Ａの軸線方向に定間隔で平行に該軸体へ取り付けられて形成されるカッタ軸２，３を一対有し、一方のカッタ軸を軸端で回転駆動する駆動装置４と、カッタ組立体と駆動装置４を支持しつつ収容し上壁に紙葉類の投入口１Ｂが形成されている筐体１とを有する紙葉類細断装置において、一方のカッタ軸２は、被動歯車としてのウォーム歯車１０を介して、ウォーム歯車により直接もしくはさらに他の歯車をも介して間接に、駆動装置４からの回転駆動力を受けるように形成され、駆動装置はモータ６，７の駆動軸に駆動歯車としてのウォーム８，９が設けられている該モータを複数備え、各モータのウォーム８，９が共に一方のカッタ軸のウォーム歯車１０と噛合している。【選択図】  図２
2007229812.tif 000002
【特許請求の範囲】
【請求項１】
周囲に刃をもつ円板状の複数のカッタが軸体の軸線方向に定間隔で平行に該軸体へ取り付けられて形成されるカッタ軸を一対有し、該一対のカッタ軸のカッタ同士がそれらの板面で剪断面を形成していると共に軸体同士が回転力伝達部材で結合されているカッタ組立体と、一方のカッタ軸を軸端で回転駆動する駆動装置と、上記カッタ組立体と駆動装置を支持しつつ収容し上壁に紙葉類の投入口が形成されている筐体とを有する紙葉類細断装置において、一方のカッタ軸は、被動歯車を介して、該被動歯車により直接もしくはさらに他の歯車をも介して間接に、駆動装置からの回転駆動力を受けるように形成され、駆動装置はモータの駆動軸に駆動歯車が設けられている該モータを複数備え、各モータの駆動歯車が共に上記一方のカッタ軸の被動歯車と噛合していることを特徴とする紙葉類細断装置。
【請求項２】
一方のカッタ軸を回転するための被動歯車は一つ設けられ、駆動装置は二つのモータを有し、該二つのモータの駆動歯車が上記一つの被動歯車に噛合していることとする請求項１に記載の紙葉類細断装置。
【請求項３】
二つのモータの駆動歯車は、一方のカッタ軸の回転のための被動歯車の軸線に対し直径方向で互いに反対側に位置していることとする請求項２に記載の紙葉類細断装置。
【請求項４】
二つのモータの駆動歯車は軸線がＶ字状をなすように位置していることとする請求項２又は請求項３に記載の紙葉類細断装置。
【請求項５】
二つのモータの駆動歯車は、一方のカッタ軸の回転のための一つの被動歯車に対して、該被動歯車の軸線方向でずれた位置で噛合していることとする請求項２ないし請求項４のうちの一つに記載の紙葉類細断装置。
【請求項６】
駆動歯車はウォームであり、被動歯車がウォーム歯車であることとする請求項１ないし請求項５のうちの一つに記載の紙葉類細断装置。
【請求項７】
筐体は、該筐体の上壁に、カッタ軸の軸線方向でほぼ中央に、投入口が設けられていることとする請求項１に記載の紙葉類細断装置。
【発明の詳細な説明】
【技術分野】
【０００１】
本発明は紙葉類細断装置に関する。
【背景技術】
【０００２】
紙葉類細断装置は、投入された紙葉類を細条片に細断するための一対のカッタ軸で形成されるカッタ組立体を、筐体内に備えている。
【０００３】
一対のカッタ軸は、いずれも、周囲に刃をもつ円板状の複数のカッタが軸体の軸線方向に定間隔で平行に取り付けられていて、一対のカッタ軸のカッタ同士がそれらの板面で剪断面を形成するように組まれている。両カッタ軸は、それらの軸体に取り付けられた歯車等の回転力伝達部材を備えている。一方のカッタ軸の軸体は軸端で接続されている一つのモータにより回転駆動力を受け、上記回転力伝達部材により、この回転駆動力を他のカッタ軸の軸体へ伝達する。かくして一対のカッタ軸は、それらのカッタ同士が噛み合って、筐体の上壁に設けられた投入口から投入された紙葉類を細断する。上記投入口は、紙葉類を上記一対のカッタ軸の噛み合い部分へ案内するために、該カッタ軸に沿ってスリット状に形成され、カッタ軸のほぼ全長の範囲にわたっている。
【特許文献１】発見できず
【発明の開示】
【発明が解決しようとする課題】
【０００４】
近来、種々の装置は小型化が求められているが、紙葉類細断装置もその例外ではなく、小型化する方向にある。特に、紙葉類細断装置は、その著しい普及に伴い、事務所等において、パーソナル向けとして、各個人の机の側に配置されるようになり、そのために平面形状が、机の側に沿って長くそして幅の小さいものとなってきている。すなわち、平面形状がカッタ軸に直角な方向での幅寸法が小さい。
【０００５】
このような紙葉類細断装置は、カッタ軸の軸端に設けられている駆動装置が一つのモータで成っていて比較的大きいために、カッタ軸は筐体内で駆動装置の大きさの分だけ軸線方向に偏って位置している。これに伴い投入口も偏って位置している。かかる装置は使用者から見て紙葉類の投入口が近くに位置するように机の側に配置される。この場合、使用者は机に向かって座していても、紙葉類の投入が容易にできて、具合が良い。
【０００６】
しかし、このような紙葉類細断装置は、事務所のレイアウトに制約されて、その向きを変えて配置せねばならないことも多い。その結果、投入口が使用者から遠い方に位置するようになることもある。細断屑の取出しそして装置の保守等のための開閉扉が筐体の一側面に設けられているので、装置を任意の向きに配置することもできず、上記のような配置変更による不便さを回避できないからである。したがって、上記の状況を改善すべく、投入口を軸線の中央に位置させることは、駆動装置の小型化なくしては実現できない。
【０００７】
さらには、紙葉類の投入口が偏って位置しているということは、筐体に取り付けられた回収袋に蓄積される細断屑の山の頂部も偏って位置してしまうということであり、偏らずに中央に投入口が設けられている場合に比し、すぐに山が高くなって、回収袋が、その収容容量を大きく残しているにも拘らず、満杯であることを知らせるセンサが早期に作動してしまい、細断屑を平均化させるか、あるいは新しい回収袋に取り換えるか等、対処しなければならない。
【０００８】
本発明は、このような事情に鑑み、駆動装置を上記軸線方向での小寸法化を図ることにより、装置全体の小型化そして投入口の中央への配置を可能とする紙葉類細断装置を提供することを課題とする。
【課題を解決するための手段】
【０００９】
本発明に係る紙葉類細断装置は、周囲に刃をもつ円板状の複数のカッタが軸体の軸線方向に定間隔で平行に該軸体へ取り付けられて形成されるカッタ軸を一対有し、該一対のカッタ軸のカッタ同士がそれらの板面で剪断面を形成していると共に軸体同士が回転力伝達部材で結合されているカッタ組立体と、一方のカッタ軸を軸端で回転駆動する駆動装置と、上記カッタ組立体と駆動装置を支持しつつ収容し上壁に紙葉類の投入口が形成されている筐体とを有する。
【００１０】
かかる紙葉類細断装置において、本発明では、一方のカッタ軸は、被動歯車を介して、該被動歯車により直接もしくはさらに他の歯車をも介して間接に、駆動装置からの回転駆動力を受けるように形成され、駆動装置はモータの駆動軸に駆動歯車が設けられている該モータを複数備え、各モータの駆動歯車が共に上記一方のカッタ軸の被動歯車と噛合していることを特徴としている。
【００１１】
このような構成の本発明装置では、複数のモータのすべての駆動歯車が同時に一方のカッタ軸の被動歯車を回転せしめる。この回転力は他方のカッタ軸へも伝達される。投入口から投入された紙葉類は一対のカッタ軸により細断される。
【００１２】
通常、駆動装置が配置される部分の下方には、使用されていない空間がある。そこで、本発明では、必要パワーを一つのモータによらず、複数個のモータから得ることとし、一個のモータの小型化を図り、上記空間を利用して複数モータを分散配置することとした。その結果、軸線方向にも、幅方向（モータの直径方向）にも装置全体の小型化を可能とした。また、投入口を中央位置に近づけることができ、事務所のレイアウト変更にも容易に対処でき、細断屑も中央に集積する。さらには、被動歯車では、駆動接触部位の複数化による応力の低下が図れ、部品の小型化そして延命化を図れる。
【００１３】
本発明では、例えば、一方のカッタ軸を回転するための被動歯車は一つ設けられ、駆動装置は二つのモータを有し、該二つのモータの駆動歯車が上記一つの被動歯車に噛合しているように構成できる。
【００１４】
上記二つのモータの駆動歯車は、一方のカッタ軸の回転のための被動歯車の軸線に対し直径方向で互いに反対側に位置しているようにすることができる。この場合、二つのモータの駆動歯車の軸線が被動歯車の周方向で反対方向に延びる配置とするならば二つのモータの回転は互いに反対方向となるが、二つのモータの駆動歯車の軸線が上記被動歯車の周方向で同じ方向に延びる配置とするならば、二つのモータの回転は同方向とすることとなる。
【００１５】
上記二つのモータの駆動歯車は軸線がＶ字状をなすように位置してモータ本体同士を近づけて共通の小さな支持部材で支持することができる。この場合は支持部材が簡単化かつ小型化される。
【００１６】
さらに、本発明において、二つのモータの駆動歯車は、一方のカッタ軸の回転のための一つの被動歯車に対して、該被動歯車の軸線方向でずれた位置で噛合しているようにもできる。こうすることにより、被動歯車は軸線方向でも、駆動歯車との噛合による摩耗部位を分散できるので、被動歯車のさらなる延命化が図れる。
【００１７】
本発明において、駆動歯車をウォーム、被動歯車をウォーム歯車とすることができる。その他にも、これらの歯車は、例えば、傘歯車、ハイポイド歯車、ねじ歯車などとすることもできる。
【００１８】
本発明では、筐体は、該筐体の上壁に、カッタ軸の軸線方向でほぼ中央に、投入口が設けられていることもできる。
【発明の効果】
【００１９】
本発明は、以上のように、駆動装置が複数のモータを有し、一つのモータを小型化することにより、筐体内の空間を適宜有効利用して複数のモータを分散配置することとしたので、モータを小型とした分だけ筐体をカッタ軸の軸線方向にも幅方向にも小さくでき、紙葉類細断装置全体を小型化できる。また、駆動装置が上記軸線方向に小さくなる結果、紙葉類の投入口を上記軸線方向で筐体の上壁の中央位置に設けることができるようになり、紙葉類細断装置がどの方向に配置されても使用に支障をきたすことなく、使用勝手が向上する。また、投入口が上記中央位置に設けられる結果、筐体内にセットされた回収袋内で細断屑が偏ることなく中央に山がくるように蓄積され、回収袋の容量を有効に使えるので、回収袋の交換も従来のように頻繁に行う必要もない。さらには、カッタ軸に駆動力を伝えるための被動歯車は、複数点でモータの駆動歯車と噛合するように接触するので、一つの接触点での応力はきわめて低くなり、被動歯車は延命化される。
【発明を実施するための最良の形態】
【００２０】
以下、添付図面にもとづき、本発明の実施の形態を説明する。
【００２１】
図１は、本実施形態の紙葉類細断装置の概要構成を示すもので、（Ａ）は部分破断平面図、（Ｂ）は装置の上部のみを示す縦断面図である。
【００２２】
図１において、平面形状が比較的横長な筐体１内の上部位置内に、一対のカッタ軸２，３で形成されるカッタ組立体が設けられている。カッタ軸２，３はそれぞれ軸体２Ａ，３Ａに、軸線方向で定間隔に多数の円板状のカッタ２Ｂ，３Ｂが取り付けられている。該カッタ２Ｂ，３Ｂは、互いに板面で紙葉類を細長く剪断するように噛み合っており、また、周囲には細長く剪断された紙葉類を短く裂断する刃が形成されている。これらのカッタ２Ｂ，３Ｂ、そしてこれらを有する一対のカッタ軸２，３は、すでに公知であり、本発明はそれらの形態に左右されるものでないので、これ以上の説明は省略する。
【００２３】
上記筐体１の上壁１Ａには、上記一対のカッタ軸２，３の噛み合い部分に臨んで直状に延びる投入口１Ｂが形成されている。この投入口１Ｂは、細断すべき紙葉類を投入するために形成されているもので、上記カッタ軸２，３の軸線方向でほぼ全長にわたる範囲に形成されている。この投入口１Ｂは、上記軸線方向で上記筐体１の上壁１Ａのほぼ中央、すなわち、上記軸線方向で一方の側に偏らない位置に形成されている。
【００２４】
上記一対のカッタ軸２，３は互いに軸体２Ａ，３Ａの端部に取り付けられた回転力伝達部材としての歯車２Ｃ，３Ｃが噛み合うことで結合されおり、一方のカッタ軸２の軸体２Ａの他方の端部に取り付けられた駆動装置４からの駆動力を上記歯車２Ｃ，３Ｃを介して上記カッタ軸３へ伝達するようになっている。
【００２５】
上記駆動装置４は、図１では簡略化して一つのボックスとして示しているが、詳しくは、図２のように構成されている。図２（Ａ）は、図１（Ｂ）の装置を左方側から見た拡大断面図であり、図２（Ｂ）は図１（Ｂ）の装置を紙面に直角な方向で手前から見た拡大断面図である。
【００２６】
図２（Ａ），（Ｂ）に見られるごとく、駆動装置４は支持体５により支持されている二つのモータ６，７を有している。該支持体５は筐体１もしくは筐体１に取り付けられた部材に取り付けられている。該支持体５は、Ｖ字状平板のモータ支持部５Ａと、これと一体となっている箱状の軸受箱５Ｂとを有している。
【００２７】
上記モータ支持部５Ａは、図２（Ａ）に見られるごとく、上部５Ａ−１と下部５Ａ−２を有し、カッタ軸２，３の軸線と平行な面を形成し、このカッタ軸２，３の軸線方向に見たときに、上部５Ａ−１と下部５Ａ−２が略Ｖ字状をなしている。この上部５Ａ−１と下部５Ａ−２では、その凸側面に、それぞれモータ６，７が支持されている。これらのモータ６，７の軸体には、駆動歯車としての軸状のウォーム８，９が、Ｖ字状をなす上記上部５Ａ−１と下部５Ａ−２の凹側面から突出しており、両ウォーム８，９はそれらの先端方向で互いに近づいている。両ウォーム８，９は上記カッタ軸２，３の軸線と平行な軸線をもつ被動歯車としてのウォーム歯車１０に噛合している。図示のごとく、二つのウォーム８，９は、一つのウォーム歯車１０に対し、該ウォーム歯車１０の直径方向で互いに反対側に位置し、また、該ウォーム歯車１０の周方向（接線方向）で互いに反対方向にモータ６，７から延出している。このような位置及び方向にある二つのウォーム８，９は、共通の一つのウォーム歯車１０を回転せしめるには、両モータ６，７はその出力軸が反対方向に回転するように設定されている。あるいは、この場合、両モータ６，７の出力軸の回転を同じ方向とさせるためには、ウォーム８，９を逆向き螺旋として歯が形成されることとなる。
【００２８】
上記ウォーム歯車１０が取り付けられている軸体１１には、減速のために、該軸体１１にさらに取り付けられた小歯車１２が、上記一方のカッタ軸２の軸体２Ａに取り付けられた大歯車１３と噛合している。この軸体２Ａは上記軸受箱５Ｂに設けられた軸受１４により回転自在に支持されている。
【００２９】
このような本実施形態の紙葉類細断装置は、次の要領で作動する。
【００３０】
（１）二つのモータ６，７が回転すると、両モータ６，７のウォーム８，９が同方向に回転するので、これらが噛合するウォーム歯車１０を協働して一つの方向に回転せしめる。
【００３１】
（２）上記ウォーム歯車１０が回転すると、軸体１１に取り付けられている小歯車１２からカッタ軸２の軸体２Ａに取り付けられている大歯車１３へ回転力が減速されて伝達され上記カッタ軸２を回転駆動する。
【００３２】
（３）さらにカッタ軸２は歯車２Ｃそしてカッタ軸３の歯車３Ｃを経てカッタ軸３を回転駆動する。
【００３３】
（４）かかる状態で投入口１Ｂから紙葉類が投入されると、紙葉類が細断され下方に落下し、筐体１内に取り付けられた回収袋へ堆積する。細断された紙葉類は、上記投入口１Ｂがカッタ軸の軸線方向で筐体の中央に位置しているので、この方向でほぼ平均的に堆積し、山ができる場合でも、上記軸線方向の中央に山の頂部が位置するようになる。
【００３４】
本発明では、モータを二個設けることにより、モータ一個当たりのパワーを必要パワーの半分とすることができる。これは、モータの軸線方向そして直径方向の寸法を小さくできることを意味する。通常、駆動装置が設けられる位置は、下方に使われない空間があるので、これらのモータはこの空間を有効に用いて配置される。したがって、本発明では、モータを複数化したことで、筐体の小型化が図れるが、大型化されることはない。また、複数個のモータは、二個に限定されず、装置の大きさ、形等の条件により、三つでもそれ以上でもよく、さらには、それらの配置、向き等は適宜設定すればよい。
【００３５】
また、複数のモータはそれらのウォームが、噛合相手のウォーム歯車の軸線方向で、互いにずれた位置にて該ウォーム歯車と噛合するようにもできる。軸線方向での噛合による応力が分散化され、歯の摩耗の低減を図れる。
【図面の簡単な説明】
【００３６】
【図１】本発明の一実施形態の概要構成を示し、（Ａ）は部分破断平面図、（Ｂ）は装置の上部についての縦断面図である。
【図２】図１装置の要部を示し、（Ａ）は側方から見た断面図、（Ｂ）は正面から見た断面図である。
【符号の説明】
【００３７】
１  筐体
１Ｂ  投入口
２，３  カッタ組立体（カッタ軸）
２Ａ，３Ａ  軸体
２Ｂ，３Ｂ  カッタ
２Ｃ，３Ｃ  回転力伝達部材（歯車）
４  駆動装置
６，７  モータ
８，９  駆動歯車（ウォーム）
１０  被動歯車（ウォーム歯車）
【図１】
2007229812.tif 000003
【図２】
2007229812.tif 000004